(57)【要約】【課題】浴室の天井パネルからフロントパネルを大きく突出させることなく、空調装置枠体が浴室に落下することを確実に防止することのできる浴室空調装置を提供すること。【解決手段】この浴室空調装置ＤＭは、天井パネルＢＲｃの開口部ＨＬに挿入された状態で固定される枠体ＦＭと、開口部ＨＬを下方から覆うフロントパネルＦＰとを備えている。枠体ＦＭの側壁ＳＷＬのうちフロントパネルＦＰから上方に離れた位置には、枠体ＦＭの内部に形成さえた収納空間ＳＰから外部に通ずる挿通孔７０が形成されている。挿通孔７０の内側から落下防止部材６０を挿入することにより、側壁ＳＷＬから外部に向けて落下防止部材６０が突出した状態となっている。【選択図】図６
2013155918.tif 000002
【特許請求の範囲】
【請求項１】
浴室の天井パネルに形成された開口部に取り付けられ、浴室の空調を行う浴室空調装置において、
内部に収納空間が形成されており、前記開口部に挿入された状態で前記天井パネルに固定される空調装置枠体と、
前記収納空間に下方から収納されるユニットであって、浴室を空調するために必要な機能のうち少なくとも一部を発揮する機能部と、
前記開口部を下方から覆うように前記空調装置枠体に取り付けられるフロントパネルと、
前記空調装置枠体が前記開口部から落下することを防止する落下防止部材と、を備え、
前記空調装置枠体の側面のうち前記フロントパネルから上方に離れた位置には、前記収納空間から前記空調装置枠体の外部に通ずる挿通孔が形成されており、
前記落下防止部材は、前記空調装置枠体の内側から前記挿通孔に挿通され、前記空調装置枠体の側面から外部に向けて突出した状態となるものであることを特徴とする浴室空調装置。
【請求項２】
前記落下防止部材は挿通忘れ防止部を有しており、前記挿通忘れ防止部は、前記挿通孔に対する前記落下防止部材の挿通が完了していない状態において、前記収納空間に前記機能部が収納されること、又は、前記空調装置枠体に前記フロントパネルが取り付けられることを妨げるものであることを特徴とする、請求項１に記載の浴室空調装置。
【請求項３】
前記落下防止部材は、長手方向に沿って延びるように形成された挿通部を有しており、前記挿通部を前記長手方向に沿ってスライドさせながら前記挿通孔に挿通されるものであることを特徴とする、請求項１又は請求項２に記載の浴室空調装置。
【請求項４】
前記挿通部は、前記長手方向に沿った平面部を有するように形成されていることを特徴とする、請求項３に記載の浴室空調装置。
【請求項５】
前記挿通部は、前記長手方向と垂直に交わる断面が、一対の長辺と一対の短辺とによって矩形断面となるように形成されていることを特徴とする、請求項４に記載の浴室空調装置。
【請求項６】
前記収納空間から前記挿通孔を通じて外部に水が漏出することを防止する水密部材を備えたことを特徴とする、請求項１乃至請求項４のいずれか一項に記載の浴室空調装置。
【発明の詳細な説明】
【技術分野】
【０００１】
本発明は、浴室の空調を行う浴室空調装置に関する。
【背景技術】
【０００２】
浴室の天井パネルに形成された開口部に取り付けられ、浴室内の暖房や乾燥等、浴室の空調を行うことのできる浴室空調装置が知られている。このような浴室空調装置は、上記開口部を下方から覆うフロントパネルを備えており、当該フロントパネルに形成された吸込口から浴室の空気を吸い込み、ヒーターを経由させる等の空調を行った後、吹出口から浴室に向けて空気を吹き出すものである。
【０００３】
また、このような浴室空調装置は、ファンやモーター等の構成機器を内部に収納する空調装置枠体を有しており、空調装置枠体を開口部に挿入した状態で天井パネルに固定した後、その下部をフロントパネルで覆う構成となっている。天井パネルに対する空調装置枠体の固定は、例えば空調装置枠体の下端部にフランジを形成し、当該フランジを天井パネルの開口部の周囲にボルト等で固定することによって行われている。
【０００４】
空調装置枠体は、浴室空調装置を構成する構成機器を内部に収容するものであるため、これらを収容した状態においては全体の重量が大きくなる。このため、浴室内の安全性を考慮すれば、万が一フランジが破損したような場合であっても、空調装置枠体が天井パネルの開口部から浴室に落下することを確実に防止する必要がある。
【０００５】
下記特許文献１には、天井パネルの開口部の周囲にボルトで固定され、浴室空調装置の自重を常に支える本固定部に加えて、これとは別に仮固定部を設けた構成の浴室空調装置が記載されている。仮固定部とは、天井パネルの開口部に装着した取付枠の下面側に引掛部を形成し、フランジ部に固定された金具を当該引掛部に掛合させておくものである。万が一本固定部が破損したような場合においては仮固定部によって空調装置枠体が支えられるため、空調装置枠体が浴室に落下することを防止することができる。
【先行技術文献】
【特許文献】
【０００６】
【特許文献１】特開２０１０−１５９９０６号公報
【発明の概要】
【発明が解決しようとする課題】
【０００７】
しかしながら、上記特許文献１に記載の構成においては、空調装置枠体の落下を防止するための構造物（仮固定部）が、天井パネルから下方に向けて突出して設けられる。空調装置枠体及び開口部を下方から覆うフロントパネルは、当該構造物をも覆う必要があるため、フロントパネルについても浴室側に大きく突出させざるを得ない。その結果、浴室内の美観を損なってしまうという問題が生じていた。
【０００８】
本発明はこのような課題に鑑みてなされたものであり、その目的は、浴室の天井パネルからフロントパネルを大きく突出させることなく、空調装置枠体が浴室に落下することを確実に防止することのできる浴室空調装置を提供することにある。
【課題を解決するための手段】
【０００９】
上記課題を解決するために本発明に係る浴室空調装置は、浴室の天井パネルに形成された開口部に取り付けられ、浴室の空調を行う浴室空調装置において、内部に収納空間が形成されており、前記開口部に挿入された状態で前記天井パネルに固定される空調装置枠体と、前記収納空間に下方から収納されるユニットであって、浴室を空調するために必要な機能のうち少なくとも一部を発揮する機能部と、前記開口部を下方から覆うように前記空調装置枠体に取り付けられるフロントパネルと、前記空調装置枠体が前記開口部から落下することを防止する落下防止部材と、を備え、前記空調装置枠体の側面のうち前記フロントパネルから上方に離れた位置には、前記収納空間から前記空調装置枠体の外部に通ずる挿通孔が形成されており、前記落下防止部材は、前記空調装置枠体の内側から前記挿通孔に挿通され、前記空調装置枠体の側面から外部に向けて突出した状態となるものであることを特徴としている。
【００１０】
本発明では、空調装置枠体の内部に収納空間を形成しており、当該収納空間に下方から収納される機能部を備えている。機能部は、空調装置枠体に収納される構造部品のうち、浴室を空調するために必要な機能のうち少なくとも一部を発揮するもの（例えばファンモータや、内部流路の一部等）をユニット化したものであって、空調装置枠体を天井パネルに固定した後、収納空間に下方から収納されるものである。
【００１１】
空調装置枠体の側面のうちフロントパネルから上方に離れた位置には、上記収納空間から空調装置枠体の外部に通ずる挿通孔が形成されている。この挿通孔には、空調装置枠体の内側から落下防止部材が挿通される。その結果、空調装置枠体の側面から外部に向けて落下防止部材が突出した状態となる。
【００１２】
本発明ではこのような構成とすることにより、空調装置枠体を天井パネルの開口部に挿入し固定した後で、落下防止部材を空調装置枠体の内側から挿通孔に挿通し、空調装置枠体の側面から外部に向けて突出させることができる。落下防止部材がフロントパネルよりも上方において突出した状態となるので、空調装置枠体と天井パネルとの固定部分が万が一破損し、空調装置枠体が落下を始めた場合であっても、その直後に落下防止部材が天井パネルに当たるため、空調装置枠体が浴室に落下することが確実に防止される。
【００１３】
挿通孔は、フロントパネルから上方に離れた位置に形成されている。このため、浴室空調装置が取り付けられる浴室の天井パネルの厚さに関わらず、天井パネルよりも上方において落下防止部材を突出させることができる。また、落下防止部材が天井パネルの上方に配置されるため、天井パネルからフロントパネルを浴室側に大きく突出させる必要が無い。
【００１４】
また、浴室を空調するために必要な機能のうち少なくとも一部を発揮する機能部が、収納空間に下方から収納されるユニットとなっている。落下防止部材を挿通孔に挿通させる作業を行う際は収納空間を空の状態としておき、作業が完了した後において、収納空間に機能部を下方から収納することができる。このため、空調装置枠体の内側から落下防止部材を挿通孔に挿通させる作業が容易なものとなる。
【００１５】
また本発明に係る浴室空調装置では、前記落下防止部材は挿通忘れ防止部を有しており、前記挿通忘れ防止部は、前記挿通孔に対する前記落下防止部材の挿通が完了していない状態において、前記収納空間に前記機能部が収納されること、又は、前記空調装置枠体に前記フロントパネルが取り付けられることを妨げるものであることも好ましい。
【００１６】
本発明では、落下防止部材を挿通させるための挿通孔が、フロントパネルから上方に離れた位置に形成されている。このため、浴室空調装置を天井パネルに取り付ける作業を行う際において、挿通孔に落下防止部材を挿通させることを作業者が忘れたような場合であっても、収納空間に機能部を収納し、空調装置枠体にフロントパネルを取り付ることができてしまう。すなわち、挿通が完了していないことに作業者が気付かないまま、取り付け作業を完了してしまう可能性がある。
【００１７】
この好ましい態様では、落下防止部材が挿通忘れ防止部を有しており、挿通孔に対する落下防止部材の挿通が完了していない状態においては、収納空間に機能部が収納されること、又は、空調装置枠体に前記フロントパネルが取り付けられることを挿通忘れ防止部が妨げる。このため、挿通が完了していない状態であることに作業者が気付かないまま収納空間に機能部を収納してフロントパネルを取り付け、浴室空調装置の取り付け作業を完了してしまうことが防止される。尚、挿通が完了していない状態とは、空調装置枠体の側面から落下防止部材が全く突出していない状態の他、突出していても、空調装置枠体が落下を始めた直後において落下防止部材が天井パネルに十分に当たらず、空調装置枠体が浴室に落下してしまうことを防止できないような状態をいう。
【００１８】
また本発明に係る浴室空調装置では、前記落下防止部材は、長手方向に沿って延びるように形成された挿通部を有しており、前記挿通部を前記長手方向に沿ってスライドさせながら前記挿通孔に挿通されるものであることも好ましい。
【００１９】
この好ましい態様では、落下防止部材は、長手方向に沿って延びるように形成された挿通部を有している。落下防止部材を挿通孔に挿通する際は、上記挿通部をその長手方向に沿ってスライドさせながら、挿通孔に挿通する。このため、空調装置枠体の側面に形成される挿通孔の形状としては、挿通部を上記長手方向に垂直な面で切断した場合の断面形状と略一致する形状とすれば十分であり、挿通孔の内周と落下防止部材との隙間を小さくすることができる。その結果、空調装置枠体の内部に存在する液体の水や高湿の空気が、当該隙間を通って天井パネルの上部空間に漏出することが抑制される。
【００２０】
また本発明に係る浴室空調装置では、前記挿通部は、前記長手方向に沿った平面部を有するように形成されていることも好ましい。
【００２１】
この好ましい態様では、挿通部は、その長手方向に沿った平面部を有するように形成されている。このため、落下防止部材を挿通孔に挿通した状態において、落下防止部材が挿通部の長手方向を中心に回転してしまうことが無いため、挿通忘れ防止部の機能を確実に発揮させることができる。
【００２２】
また本発明に係る浴室空調装置では、前記挿通部は、前記長手方向と垂直に交わる断面が、一対の長辺と一対の短辺とによって矩形断面となるように形成されていることも好ましい。
【００２３】
この好ましい態様では、挿通部は、その長手方向と垂直に交わる断面が、一対の長辺と一対の短辺とによって矩形断面となるように形成されている。このため、長手方向を中心に回転してしまうことを防止するような形状の落下防止部材を、金属板等、板状の部材を用いて容易に作成することが可能となる。
【００２４】
また本発明に係る浴室空調装置では、前記前記収納空間から前記挿通孔を通じて外部に水が漏出することを防止する水密部材を備えたこと水密部材を備えることも好ましい。
【００２５】
この好ましい態様では、収納空間から挿通孔を通じて外部に水が漏出することを防止するための水密部材が配置されている。このため、空調装置枠体の内部に存在する液体の水や高湿の空気が、挿通孔と落下防止部材との隙間を経由して天井パネルの上部空間に漏出することを確実に防止することができる。
【発明の効果】
【００２６】
本発明によれば、浴室の天井パネルからフロントパネルを大きく突出させることなく、空調装置枠体が浴室に落下することを確実に防止することのできる浴室空調装置を提供することができる。
【図面の簡単な説明】
【００２７】
【図１】本発明の第一実施形態である浴室空調装置を浴室に取り付けた状態を模式的に示す図である。
【図２】本発明の第一実施形態である浴室空調装置を下方から見た状態を示す外観図である。
【図３】図２におけるＡ−Ａ断面を示す断面図である。
【図４】本発明の第一実施形態である浴室空調装置の落下防止部材の形状を示した斜視図である。
【図５】本発明の第一実施形態である浴室空調装置において、落下防止部材を挿通孔に挿通させる前の状態を示した断面図である。
【図６】本発明の第一実施形態である浴室空調装置において、落下防止部材を挿通孔に挿通させた後の状態を示した断面図である。
【図７】本発明の第二実施形態である浴室空調装置の落下防止部材の形状を示した斜視図である。
【図８】本発明の第二実施形態である浴室空調装置において、落下防止部材を挿通孔に挿通させる前の状態を示した断面図である。
【図９】本発明の第二実施形態である浴室空調装置において、落下防止部材を挿通孔に挿通させた後の状態を示した断面図である。
【図１０】本発明の第三実施形態である浴室空調装置の落下防止部材の形状を示した斜視図である。
【図１１】本発明の第三実施形態である浴室空調装置において、落下防止部材を挿通孔に挿通させる前の状態を示した断面図である。
【図１２】本発明の第三実施形態である浴室空調装置において、落下防止部材を挿通孔に挿通させた後の状態を示した断面図である。
【図１３】本発明の第四実施形態である浴室空調装置の落下防止部材の形状を示した斜視図である。
【図１４】本発明の第四実施形態である浴室空調装置において、落下防止部材を挿通孔に挿通させる前の状態を示した断面図である。
【図１５】本発明の第四実施形態である浴室空調装置において、落下防止部材を挿通孔に挿通させた後の状態を示した断面図である。
【発明を実施するための形態】
【００２８】
以下、添付図面を参照しながら本発明の実施の形態について説明する。説明の理解を容易にするため、各図面において同一の構成要素に対しては可能な限り同一の符号を付して、重複する説明は省略する。
【００２９】
本発明の実施形態に係る浴室空調装置は、浴室内の空気を吸い込みヒーターを経由させて浴室方向に吹き出す暖房モードと、浴室内の空気を吸い込み浴室外に排出する換気モードと、浴室内の空気を吸い込みその一部はヒーターを経由させて浴室方向に吹き出しながら、残りの空気は浴室外に排出する乾燥モードと、を備えると共に、浴室以外の第二室である洗面所等の換気も行うことができるものである。
【００３０】
この浴室空調装置の配置態様について図１を参照しながら説明する。図１に示すように、浴室空調装置ＤＭは、浴室ＢＲの天井パネルＢＲｃに取り付けられるものである。浴室空調装置ＤＭは、浴室ＢＲ内の空気を吸い込みヒータ（図１においては明示しない）を経由させて浴室ＢＲ方向に空気を吹き出すことができる。また、浴室空調装置ＤＭは、浴室ＢＲ内の空気を吸い込み、少なくともその一部をダクトＤ１を通して浴室外に排出することもできる。また、浴室空調装置ＤＭは、洗面所ＳＲの天井に設けられた吸引口ＳＲ１に繋がるダクトＳＲ２を通して、洗面所ＳＲ内の空気を吸引し、ダクトＤ１を通して浴室外に排出することもできる。
【００３１】
上記の通り乾燥モードは、浴室ＢＲ内の空気を吸い込みその一部はヒーターを経由させて浴室ＢＲの方向に吹き出しながら、残りの空気は浴室ＢＲ外に排出する運転モードである。この乾燥モードにおいて浴室空調装置ＤＭは、ヒーターを経由させた空気を浴室ＢＲの方向に吹き出すため、浴室ＢＲ内の気温は上昇する。また、浴室ＢＲから吸い込まれた空気の一部は、浴室ＢＲ内の水蒸気と共に浴室ＢＲ外に排出される。その結果、浴室ＢＲ内の湿度は効率的に低下することとなり、浴室空調装置ＤＭの下方に洗濯後の衣類を吊り下げた状態で乾燥モードによる運転を行えば、浴室ＢＲの壁面と共に衣類も短時間で乾燥させることができる。
【００３２】
図２は、浴室空調装置ＤＭを下方から見た状態を示す外観図である。同図においては、説明のためにフロントパネルＦＰを取り外した状態を示している。図２に示されるように、浴室空調装置ＤＭは、浴室ＢＲの天井パネルＢＲｃに形成された矩形の開口部ＨＬに、ファン３０等が収められた枠体ＦＭを挿入固定し、フロントパネルＦＰで開口部ＨＬ及び枠体ＦＭを覆った状態で浴室ＢＲに設置される。フロントパネルＦＰは長方形に形成された板状の部材であって、浴室ＢＲの壁面（天井パネルＢＲｃ）と平行に配置される主面を有しており、当該主面の法線方向を浴室ＢＲ側に向けて配置されるものである。フロントパネルＦＰは、吸込口１０及び吹出口２０を備えている。
【００３３】
吸込口１０は、浴室空調装置ＤＭが浴室ＢＲ内の空気を吸い込むための部分であって、フロントパネルＦＰの主面において二つの開口１０ａ、１０ｂとして形成された部分である。これら二つの開口１０ａ、１０ｂは、いずれも、フロントパネルＦＰの長辺方向に沿った細長い長方形状に形成されている。
【００３４】
吹出口２０は、浴室空調装置ＤＭが浴室内に空気を吹き出すための部分であって、フロントパネルＦＰの主面において開口２０ａとして形成された部分である。開口２０ａは、上記の開口１０ａ、１０ｂとは離間した位置において、フロントパネルＦＰの長辺方向に沿った細長い長方形状に形成されている。開口２０ａの形状は、枠体ＦＭ側に固定された整風板２１の外形と略一致しており、フロントパネルＦＰで枠体ＦＭを覆った際において、整風板２１が開口２０ａに嵌入された状態となる。すなわち、浴室空調装置ＤＭから浴室ＢＲ内に空気を吹き出す際は、空気は整風板２１と吹出口２０とを同時に通過した後、浴室ＢＲ内に吹き出すこととなる。
【００３５】
続いて、浴室空調装置ＤＭの内部構造について、図３を参照しながら説明する。図３は、図２の浴室空調装置ＤＭにおいて、フロントパネルＦＰを取り付けた状態におけるＡ−Ａ断面を示す断面図である。図３に示すように、浴室空調装置ＤＭの枠体ＦＭは、全体が略直方体となるように形成されており、その内部に、浴室を空調する機能を発揮するための構成機器を収納しているケーシングである。枠体ＦＭの底面は開放されており、側面（側壁）の下端部にはフランジＦＭｆが形成されている。
【００３６】
枠体ＦＭは、上方から見た場合において、フランジＦＭｆを除く部分の外形が天井パネルＢＲｃの開口部ＨＬよりもわずかに小さくなるように形成されている。また、フランジＦＭｆの外形は、開口部ＨＬよりも大きく形成されている。
【００３７】
浴室空調装置ＤＭを天井パネルＢＲｃに取り付ける際は、枠体ＦＭを天井パネルＢＲｃの下方から開口部ＨＬに挿入した後、フランジＦＭｆと天井パネルＢＲｃとを図示しないボルトで固定する。更に、フランジＦＭｆ全体を覆うようにフロントパネルＦＰを取り付けた後、フロントパネルＦＰをフランジＦＭｆに対して図示しないボルトで固定する。このように、フロントパネルＦＰは枠体ＦＭに取り付けられている。
【００３８】
枠体ＦＭの内部、すなわちフロントパネルＦＰの上方には、吸込口１０と吹出口２０とを連通させる内部流路５０が形成されている。内部流路５０は、吸込口１０から吸い込んだ空気が吹出口２０へと流れるための流路である。内部流路５０は、ファン３０より上流側である上流側流路５０ａと、ファン３０より下流側である下流側流路５０ｂとを有している。
【００３９】
ファン３０は内部流路５０に配置された送風機であって、内部流路５０における空気の流れを発生させるものである。ファン３０の上部には、ファン３０を回転駆動するファンモータ３０ａが設けられている。ファン３０は、複数の羽根を円形に並べた所謂シロッコファンと呼ばれるものである。ファンモータ３０ａが回転すると、ファン３０が回転駆動され、ファン３０の下方から空気を吸い込み、ファン３０の側面から水平方向に空気が放出される。ファン３０の側面から放出された空気は、その後、下流側流路５０ｂへと流れる。
【００４０】
下流側流路５０ｂには、ファン３０よりも下流側で且つ吹出口２０よりも上流側において、下流側流路５０ｂから分岐する流路として図示しない排出流路が接続されている。排出流路はダクトＤ１に接続された流路であって、浴室の外部（例えば屋外）に連通している。
【００４１】
下流側流路５０ｂと排出流路との境界部には、図３においては図示しないダンパーＤＰが配置されている。ダンパーＤＰは、下流側流路５０ｂから排出流路へ空気が流れる流路の開度を調整するためのものである。ダンパーＤＰの動作によって、排出流路へ空気が流れる流路の開度が調整される。
【００４２】
暖房モードにおいては、ダンパーＤＰが排出流路を完全に閉鎖した状態となり、吸込口１０から吸い込まれた空気は全てヒーターＨＴで加熱された後、吹出口２０から浴室ＢＲ内に吹き出す。乾燥モードにおいては、ダンパーＤＰの開度が調整され、吸込口１０から吸い込まれた空気の一部は排出流路を通じて浴室ＢＲの外部に排出される一方、残りはヒーターＨＴを経由して吹出口２０を通過し浴室ＢＲに吹き出す。換気モードにおいては、ダンパーＤＰは排出流路を開状態とする一方、吹出口２０に通じる流路を完全に閉鎖する。このため、吸込口１０から吸い込まれた空気は、全て排出流路を通じて浴室ＢＲの外部に排出される。
【００４３】
下流側流路５０ｂを流れる空気は、上記のように一部は排出流路を通じて浴室ＢＲの外部に排出され、残りはヒーターＨＴを経由して吹出口２０を通過し、浴室ＢＲに吹き出る。ヒーターＨＴは、整風板２１の直上に配置された電気ヒーターであって、吹出口２０から吹き出す空気を加熱するものである。ヒーターＨＴは常に空気を加熱するものではなく、浴室空調装置ＤＭの運転モードに応じて、加熱のＯＮ／ＯＦＦが適宜制御される。
【００４４】
枠体ＦＭに収納される構成機器のうち、図３において点線で囲んで示した部分は、枠体ＦＭの内部から一体として取り外すことができるようにユニット化された機能部ＦＵを構成している。本実施形態においては、機能部ＦＵは、フロントパネルＦＰのうち吹出口２０が形成されている部分と、その上部に形成されている上流側流路５０ａの一部と、上流側流路５０ａで発生した結露水を溜めておく部分である溜水部ＲＳとを一体化したものとして構成している。すなわち、機能部ＦＵは、浴室ＢＲを空調するために必要な機能の一部を発揮する部分ということができる。機能部ＦＵは、枠体ＦＭの内部のうち下方に形成された空間である収納空間ＳＰに、枠体ＦＭの下方から収納されている。
【００４５】
枠体ＦＭの側壁のうち、図３における左側の側壁ＳＷＬには、側壁ＳＷＬとは垂直に（天井パネルＢＲｃとは平行に）枠体ＦＭの外部に向けて突出した落下防止部材６０が備えられている。落下防止部材６０は、万が一枠体ＦＭのフランジＦＭｆが破損する等により枠体ＦＭが天井パネルＢＲｃから外れた場合において、枠体ＦＭが浴室ＢＲに落下してしまうことを防止するためのものである。落下防止部材６０は、側壁ＳＷＬに形成された挿通孔７０（図３では図示しない）に対し枠体ＦＭの内側から挿通されることにより、側壁ＳＷＬから外部に向けて突出している。
【００４６】
枠体ＦＭが天井パネルＢＲｃから外れると、枠体ＦＭは下方に落下し始める。しかし、落下防止部材６０は、天井パネルＢＲｃに形成された開口部ＨＬの端部よりも遠方まで延びているため、枠体ＦＭが落下し始めた直後において、落下防止部材６０の下面が天井パネルＢＲｃの上面に当たる。
【００４７】
枠体ＦＭはその後、側壁ＳＷＬとは対向する側壁ＳＷＲ側に（図３において右側に）傾き、側壁ＳＷＲが開口部ＨＬの端部に当たる。その結果、枠体ＦＭは、落下防止部材６０と側壁ＳＷＲとで天井パネルＢＲｃに支えられた状態で静止する。このように、本実施形態に係る浴室空調装置ＤＭは、落下防止部材６０を備えているため、万が一枠体ＦＭが天井パネルＢＲｃから外れた場合においても、枠体ＦＭが浴室ＢＲに落下してしまうことを確実に防止している。
【００４８】
このような落下防止部材６０としては、本実施形態のように枠体ＦＭの側壁のうち一つ（側壁ＳＷＬ）だけに備えても十分な効果を発揮するが、複数の側壁にそれぞれ備えてもよい。落下防止部材６０がその機能を発揮するためには、枠体ＦＭのうち天井パネルＢＲｃよりも上方に配置された部分（落下防止部材６０を含む）を上方から見た場合の外形が、開口部ＨＬよりも大きくなっていればよい。
【００４９】
このように、落下防止部材６０は天井パネルＢＲｃの上方に配置されることによって、枠体ＦＭが浴室ＢＲに落下することを防止するものである。従って、天井パネルＢＲｃからフロントパネルＦＰを浴室ＢＲ側に大きく突出させる必要が無い。
【００５０】
次に、落下防止部材６０の具体的な形状について、図４及び図５を参照しながら説明する。図４は、落下防止部材６０の形状を示した斜視図である。図５は、浴室空調装置ＤＭにおいて、落下防止部材６０を挿通孔７０に挿通させる前における状態を示した断面図である。図５は、図２に示したＢ−Ｂ面において浴室空調装置ＤＭを切断した状態を示している。
【００５１】
図４に示したように、落下防止部材６０は、全体が均一な厚さの金属板を加工することによって形成されている。落下防止部材６０は、長手方向に沿って延びるようにに形成された部分である挿通部６１と、挿通部６１の一端側において左右に突出するように形成された抜け防止部６２、６３と、挿通部６１の他端側において下方に向かって直角に折り曲げられた部分である折曲部６４と、挿通部６１と平行な部分であって、一端が折曲部６４に接続された突起部６５を有している。挿通部６１は、その長手方向と垂直に交わる断面が、一対の長辺と一対の短辺とによって矩形断面となっている。すなわち、その長手方向に沿った４つの平面部を有している。
【００５２】
図５は、浴室空調装置ＤＭを天井パネルＢＲｃに取り付けるにあたり、枠体ＦＭを開口部ＨＬに挿入して天井パネルＢＲｃに固定した状態を示している。図５においては、収納空間ＳＰには未だ機能部ＦＵが収納されておらず、フロントパネルＦＰも取り付けられていない。
【００５３】
枠体ＦＭの側壁ＳＷＬのうち、収納空間ＳＰの上部近傍に対応する位置には、収納空間ＳＰから枠体ＦＭの外部に貫通する挿通孔７０が形成されている。挿通孔７０は、挿通部６１を挿通させることができるようにスリット状に形成された孔であって、その高さは挿通部６１の厚さと略同一であり、その幅は、抜け防止部６２の先端から抜け防止部６３の先端までの距離と略同一である。
【００５４】
図５において、落下防止部材６０は、挿通部６１の先端部（抜け防止部６２、６３が形成されている方）を挿通孔７０に向けた状態となっており、挿通部６１が水平で且つ挿通部６１の長手方向が側壁ＳＷＬに対して垂直となるように配置されている。落下防止部材６０はまた、挿通部６１の長手方向に沿ってスライドすることができるように、収納空間ＳＰの上部近傍で支持されている。
【００５５】
図５に示したように、落下防止部材６０の大部分を収納空間ＳＰの内部に収め、側壁ＳＷＬから外部に向けて突出しない状態とすることができる。このため、枠体ＦＭを浴室ＢＲ側から開口部ＨＬに挿入する際において、落下防止部材６０が天井パネルＢＲｃと干渉することがなく、スムーズに挿入することが可能となっている。
【００５６】
枠体ＦＭを開口部ＨＬに挿入し、フランジＦＭｆを天井パネルＢＲｃに対してボルトで固定した状態（図５の状態）とした後は、落下防止部材６０をスライドさせて挿通孔７０に挿通させる。その結果、図６に示したように、落下防止部材６０は枠体ＦＭの側壁ＳＷＬから外部に向けて突出した状態となる。
【００５７】
ここで、落下防止部材６０の挿通部６１と突起部６５との間に形成された空間６６は、ボルト固定用の長穴として機能するものである。図６のように落下防止部材６０を外部に突出させた状態において、収納空間ＳＰの上部壁面のうち当該空間６６の直上に位置する部分には、図示しない雌螺子部が形成されている。このため、当該雌螺子部に対してボルトを挿入することによって、収納空間ＳＰの上部壁面に対して落下防止部材６０を締結固定し、以後、落下防止部材６０がスライドしてしまうことを防止することができる。
【００５８】
落下防止部材６０を収納空間ＳＰの上部壁面に対して固定した後は、図６のように枠体ＦＭの下方から収納空間ＳＰに機能部ＦＵが収納され、更にフロントパネルＦＰが取り付けられる。このように、落下防止部材６０を固定した後で機能部ＦＵを収納するような構成となっているため、落下防止部材６０をスライドさせたり固定したりする作業を、収納空間ＳＰが空の状態で容易に行うことができる。
【００５９】
本実施形態に係る浴室空調装置ＤＭにおいては、挿通孔７０がフロントパネルＦＰから上方に離れた位置に形成されている。このため、浴室空調装置ＤＭが取り付けられる浴室ＢＲの天井パネルＢＲｃが図６に示したものより厚い場合であっても、天井パネルＢＲｃよりも上方において落下防止部材６０を突出させることが可能となっている。
【００６０】
挿通孔７０をフロントパネルＦＰから上方に離れた位置に形成することは上記のような利点を有する一方で、落下防止部材６０を挿通し忘れた状態であっても、機能部ＦＵを収納空間ＳＰに収納することができてしまうという問題を有するものである。すなわち、図５から明らかなように、落下防止部材６０が上方に配置される結果、落下防止部材６０を挿通孔７０に挿通していない状態であっても、収納空間ＳＰの内部には下方から機能部ＦＵを収納するための空間が広く確保される。従ってこの状態、すなわち、枠体ＦＭの落下を防止できない状態のまま機能部ＦＵを収納し、浴室空調装置ＤＭの取り付け作業を完了してしまう恐れがある。
【００６１】
本実施形態に係る浴室空調装置ＤＭでは、落下防止部材６０に形成された折曲部６４によって、この問題を解決している。既に説明したように、折曲部６４は、挿通部６１の端部において下方に向かって直角に折り曲げられた部分である。このため、折曲部６４は、収納空間ＳＰの上部壁面近傍から、収納空間ＳＰの内部を鉛直下方に向かって（機能部ＦＵが配置される部分に向かって）垂下している。
【００６２】
機能部ＦＵの上面の一部には、上方に向かって突出した突起９０が形成されている。落下防止部材６０をスライドさせ、図６のように挿通孔７０への挿通が完了した状態においては、折曲部６４は側壁ＳＷＬに近づいた位置となり、折曲部６４は突起９０と干渉しない。従ってこの状態においては、機能部ＦＵを収納空間ＳＰの内部に収納することができる。
【００６３】
一方、図５のように、落下防止部材６０をスライドさせず、挿通孔７０への挿通が完了していない状態においては、折曲部６４は側壁ＳＷＬから遠い位置、すなわち、収納空間ＳＰの中央寄りの位置となっている。この状態において機能部ＦＵを収納空間ＳＰの内部に収納しようとすると、折曲部６４が突起９０と干渉することにより、機能部ＦＵを完全に収納することが妨げられる。その結果、落下防止部材６０の挿通が完了していない状態であることに作業者が気付かないまま収納空間ＳＰに機能部ＦＵを収納し、浴室空調装置ＤＭの取り付け作業を完了してしまうことが防止される。
【００６４】
換言すれば、落下防止部材６０の位置が、枠体ＦＭの落下を防止することができないような位置となっている状態（落下防止部材６０の挿通が完了していない状態）においては、折曲部６４の下端と突起９０の上端とが干渉するように、折曲部６４及び突起９０が形成されている。折曲部６４は本発明における挿通忘れ防止部として機能する。ここで、折曲部６４の形状としては、挿通孔７０への挿通が完了していない状態において機能部ＦＵの収納を妨げるのではなく、フロントパネルＦＰが枠体ＦＭに取り付けられることを妨げるような形状としてもよい。この場合、例えばフロントパネルＦＰの上面側に上方に突出した突起を設けておき、挿通孔７０への落下防止部材６０の挿通が完了していない状態においては、折曲部６４の下端と当該突起の先端とが干渉するような構成とすればよい。
【００６５】
尚、落下防止部材６０の挿通部６１は、その長手方向に沿った平面部を有するように形成されているため、挿通部６１がスライドするように支持された状態において、その長手方向を中心軸として回転することが無い。このため、折曲部６４は常にその先端を鉛直下方に向けた状態となるため、上記に説明した落下防止部材６０の挿通忘れを防止する機能が確実に発揮される。尚、本実施形態では、挿通部６１はその長手方向に沿った断面が矩形断面であるため、４つの平面部を有している。しかし、少なくとも平面部が一つあるような断面であれば、落下防止部材６０の挿通忘れを防止する機能を発揮することができる。
【００６６】
枠体ＦＭの内部には、収納空間ＳＰの側面及び上面を区画する一体の内壁８０が配置されている。内壁８０のうち挿通孔７０と対向する位置には、挿通孔７０と略同一形状の貫通孔である内側挿通孔８１が形成されている。落下防止部材６０はその位置に関わらず、内側挿通孔８１に対して常に挿通された状態となっている。
【００６７】
内側挿通孔８１の内周と落下防止部材６０との間には、ゴムにより形成された水密部材９５が配置されている。水密部材９５は、内側挿通孔８１において落下防止部材６０の周囲を囲むように配置され、内側挿通孔８１と落下防止部材６０との間に形成される周状の隙間を封止している。尚、落下防止部材６０のうち挿通孔７０に向けられた方の先端には抜け防止部６２、６３が形成されているため、落下防止部材６０が水密部材９５から内側に抜けてしまうことが防止されている。
【００６８】
このような水密部材９５を配置しているのは、以下の理由による。枠体ＦＭの内部は、浴室ＢＲ内からの空気が入ってくるために高温多湿の状態となりやすく、結露が生じる場合もある。液体の水や高温多湿の空気が挿通孔７０を通じて枠体ＦＭの外部に漏出すれば、天井パネルＢＲｃの上方において、カビや腐食を引き起こしてしまう恐れがある。
【００６９】
本実施形態に係る浴室空調装置ＤＭにおいては、上記のように水密部材９５を配置している。このため、枠体ＦＭの内部に存在する液体の水や高湿の空気が、内壁８０の内側から内側挿通孔８１、挿通孔７０を経由して天井パネルＢＲｃの上部空間に漏出することを確実に防止している。
【００７０】
続いて、本発明の第二実施形態である浴室空調装置ＤＭａについて説明する。尚、浴室空調装置ＤＭａは、落下防止部材６０ａの形状のみが浴室空調装置ＤＭと異なっており、その他の構成は浴室空調装置ＤＭと共通である。このため、以下の説明では、落下防止部材６０ａに関する事項のみを説明し、浴室空調装置ＤＭと共通するその他の事項については説明を省略する。
【００７１】
図７は、落下防止部材６０ａの形状を示した斜視図である。図７に示したように、落下防止部材６０ａは、断面が一様な円形である棒状の金属を加工することによって形成されている。落下防止部材６０ａは、長い棒状に形成された部分である挿通部６１ａと、挿通部６１ａの一端側で下方に向かって直角に折り曲げられた部分である折曲部６４ａとを有している。
【００７２】
図８は、図５に対応した状態を示す断面図であって、浴室空調装置ＤＭａを天井パネルＢＲｃに取り付けるにあたり、枠体ＦＭを開口部ＨＬに挿入して天井パネルＢＲｃに固定した状態を示している。図８においては、収納空間ＳＰには未だ機能部ＦＵが収納されておらず、フロントパネルＦＰも取り付けられていない。
【００７３】
枠体ＦＭの側壁ＳＷＬのうち、収納空間ＳＰの上部近傍に対応する位置には、収納空間ＳＰから枠体ＦＭの外部に貫通する挿通孔７０ａが形成されている。挿通孔７０ａは、挿通部６１ａを挿通させることができるように円形に形成された孔であって、その直径は挿通部６１ａの直径よりもわずかに大きく形成されている。
【００７４】
図８において、落下防止部材６０ａは、挿通部６１ａの先端部を挿通孔７０ａに向けた状態となっており、挿通部６１ａが水平で且つ挿通部６１ａの長手方向が側壁ＳＷＬに対して垂直となるように配置されている。落下防止部材６０ａはまた、挿通部６１ａの長手方向に沿ってスライドすることができるように、収納空間ＳＰの上部近傍で支持されている。
【００７５】
図８に示したように、落下防止部材６０ａの大部分を収納空間ＳＰの内部に収め、側壁ＳＷＬから外部に向けて突出しない状態とすることができる。このため、枠体ＦＭを浴室ＢＲ側から開口部ＨＬに挿入する際において、落下防止部材６０ａが天井パネルＢＲｃと干渉することがなく、スムーズに挿入することが可能となっている。
【００７６】
枠体ＦＭを開口部ＨＬに挿入し、フランジＦＭｆを天井パネルＢＲｃに対してボルトで固定した状態（図８の状態）とした後は、落下防止部材６０ａをスライドさせて挿通孔７０ａに挿通させる。その結果、図９に示したように、落下防止部材６０ａは枠体ＦＭの側壁ＳＷＬから外部に向けて突出した状態となる。
【００７７】
落下防止部材６０ａを挿通孔７０ａに挿通させた後は、図９のように枠体ＦＭの下方から収納空間ＳＰに機能部ＦＵが収納され、更にフロントパネルＦＰが取り付けられる。このように、落下防止部材６０ａを挿通孔７０ａに挿通させた後で機能部ＦＵを収納するような構成となっているため、落下防止部材６０ａをスライドさせる作業を、収納空間ＳＰが空の状態で容易に行うことができる。
【００７８】
本実施形態に係る浴室空調装置ＤＭａにおいては、挿通孔７０ａがフロントパネルＦＰから上方に離れた位置に形成されている。このため、浴室空調装置ＤＭａが取り付けられる浴室ＢＲの天井パネルＢＲｃが図９に示したものより厚い場合であっても、天井パネルＢＲｃよりも上方において落下防止部材６０ａを突出させることが可能となっている。
【００７９】
挿通孔７０ａをフロントパネルＦＰから上方に離れた位置に形成することは上記のような利点を有する一方で、落下防止部材６０ａを挿通し忘れた状態であっても、機能部ＦＵを収納空間ＳＰに収納することができてしまうという問題を有するものである。すなわち、図８から明らかなように、落下防止部材６０ａが上方に配置される結果、落下防止部材６０ａを挿通孔７０ａに挿通していない状態であっても、収納空間ＳＰの内部には下方から機能部ＦＵを収納するための空間が広く確保される。従ってこの状態、すなわち、枠体ＦＭの落下を防止できない状態のまま機能部ＦＵを収納し、浴室空調装置ＤＭａの取り付け作業を完了してしまう恐れがある。
【００８０】
本実施形態に係る浴室空調装置ＤＭａでは、落下防止部材６０ａに形成された折曲部６４ａによって、この問題を解決している。既に説明したように、折曲部６４ａは、挿通部６１ａの端部において下方に向かって直角に折り曲げられた部分である。このため、折曲部６４ａは、収納空間ＳＰの上部壁面近傍から、収納空間ＳＰの内部を鉛直下方に向かって（機能部ＦＵが配置される部分に向かって）垂下している。
【００８１】
機能部ＦＵの上面の一部には、上方に向かって突出した突起９０が形成されている。落下防止部材６０ａをスライドさせ、図９のように挿通孔７０ａへの挿通が完了した状態においては、折曲部６４ａは側壁ＳＷＬに近づいた位置となり、折曲部６４ａは突起９０と干渉しない。従ってこの状態においては、機能部ＦＵを収納空間ＳＰの内部に収納することができる。
【００８２】
一方、図８のように、落下防止部材６０ａをスライドさせず、挿通孔７０ａへの挿通が完了していない状態においては、折曲部６４ａは側壁ＳＷＬから遠い位置、すなわち、収納空間ＳＰの中央寄りの位置となっている。この状態において機能部ＦＵを収納空間ＳＰの内部に収納しようとすると、折曲部６４ａが突起９０と干渉することにより、機能部ＦＵを完全に収納することが妨げられる。その結果、落下防止部材６０ａの挿通が完了していない状態であることに作業者が気付かないまま収納空間ＳＰに機能部ＦＵを収納し、浴室空調装置ＤＭａの取り付け作業を完了してしまうことが防止される。
【００８３】
換言すれば、落下防止部材６０ａの位置が、枠体ＦＭの落下を防止することができないような位置となっている状態（落下防止部材６０ａの挿通が完了していない状態）においては、折曲部６４ａの下端と突起９０の上端とが干渉するように、折曲部６４ａ及び突起９０が形成されている。折曲部６４ａは本発明における挿通忘れ防止部として機能する。
【００８４】
枠体ＦＭの内部には、収納空間ＳＰの側面及び上面を区画する一体の内壁８０ａが配置されている。内壁８０ａのうち挿通孔７０ａと対向する位置には、挿通孔７０ａと略同一形状の貫通孔である内側挿通孔８１ａが形成されている。落下防止部材６０ａはその位置に関わらず、内側挿通孔８１ａに対して常に挿通された状態となっている。
【００８５】
内側挿通孔８１ａの内周と落下防止部材６０ａとの間には、ゴムにより形成された水密部材９５ａが配置されている。水密部材９５ａは、内側挿通孔８１ａにおいて落下防止部材６０ａの周囲を囲むように配置され、内側挿通孔８１ａと落下防止部材６０ａとの間に形成される周状の隙間を封止している。このような構成により、枠体ＦＭの内部に存在する液体の水や高湿の空気が、内壁８０ａの内側から内側挿通孔８１ａ、挿通孔７０ａを経由して天井パネルＢＲｃの上部空間に漏出することを確実に防止している。
【００８６】
続いて、本発明の第三実施形態である浴室空調装置ＤＭｂについて説明する。尚、浴室空調装置ＤＭｂは、落下防止部材６０ｂの形状のみが浴室空調装置ＤＭと異なっており、その他の構成は浴室空調装置ＤＭと共通である。このため、以下の説明では、落下防止部材６０ｂに関する事項のみを説明し、浴室空調装置ＤＭと共通するその他の事項については説明を省略する。
【００８７】
図１０は、落下防止部材６０ｂの形状を示した斜視図である。図１０に示したように、落下防止部材６０ｂは、断面が一様な円形である棒状の金属を加工することによって形成されている。落下防止部材６０ｂは、長い棒状に形成された部分である挿通部６１ｂと、挿通部６１ａの一端側で下方に向かって直角に折り曲げられた部分である回転軸部６２ｂと、回転軸部６２ｂの下端から、直角に折り曲げられて水平となった部分である折曲部６４ｂとを有している。折曲部６４ｂの軸方向は、挿通部６１ｂの軸方向に対して垂直となっている。
【００８８】
図１１は、図５に対応した状態を示す断面図であって、浴室空調装置ＤＭｂを天井パネルＢＲｃに取り付けるにあたり、枠体ＦＭを開口部ＨＬに挿入して天井パネルＢＲｃに固定した状態を示している。図１１においては、収納空間ＳＰには未だ機能部ＦＵが収納されておらず、フロントパネルＦＰも取り付けられていない。
【００８９】
枠体ＦＭの側壁ＳＷＬのうち、収納空間ＳＰの上部近傍に対応する位置には、収納空間ＳＰから枠体ＦＭの外部に貫通する挿通孔７０ｂが形成されている。挿通孔７０ｂは、挿通部６１ｂを挿通させることができるように形成された孔であって、水平なスリット状に形成されている。当該スリットの幅（上下方向の高さ）は、挿通部６１ｂの断面の直径と略同一である。
【００９０】
図１１において、落下防止部材６０ｂは、挿通部６１ｂの高さが挿通孔７０ｂと同じ高さになるように配置されており、挿通部６１ｂの軸方向は、側壁ＳＷＬと平行になっている。図１１では、挿通部６１ｂの先端は紙面手前側を向いている。
【００９１】
側壁ＳＷＬの内側には、金属板である上部支持板ＰＬ１と下部支持板ＰＬ２とが、それぞれ水平に固定されている。上部支持板ＰＬ１の中央には、回転軸部６２ｂの外形と略同一の形状である貫通孔Ｈ１が形成されている。下部支持板ＰＬ２の中央には、やはり回転軸部６２ｂの外形と略同一の形状である貫通孔Ｈ２が形成されている。下部支持板ＰＬ２は、上部支持板ＰＬ１の鉛直下方において、上面視で貫通孔Ｈ１と貫通孔Ｈ２とが重なるように配置されている。落下防止部材６０ｂは、回転軸部６２ｂが貫通孔Ｈ１と貫通孔Ｈ２とを貫通した状態で、回転軸部６２ｂの軸方向の回りに回転自在となるよう、枠体ＦＭに対して支持されている。
【００９２】
図１１に示したように、落下防止部材６０ｂの大部分を収納空間ＳＰの内部に収め、側壁ＳＷＬから外部に向けて突出しない状態とすることができる。このため、枠体ＦＭを浴室ＢＲ側から開口部ＨＬに挿入する際において、落下防止部材６０ｂが天井パネルＢＲｃと干渉することがなく、スムーズに挿入することが可能となっている。
【００９３】
枠体ＦＭを開口部ＨＬに挿入し、フランジＦＭｆを天井パネルＢＲｃに対してボルトで固定した状態（図１１の状態）とした後は、落下防止部材６０ｂを回転軸部６２ｂの軸方向の回りに回転させることにより、挿通部６１ｂを挿通孔７０ｂに挿通させる。その結果、図１２に示したように、落下防止部材６０ｂは枠体ＦＭの側壁ＳＷＬから外部に向けて突出した状態となる。
【００９４】
落下防止部材６０ｂを挿通孔７０ｂに挿通させた後は、図１２のように枠体ＦＭの下方から収納空間ＳＰに機能部ＦＵが収納され、更にフロントパネルＦＰが取り付けられる。このように、落下防止部材６０ｂを挿通孔７０ｂに挿通させた後で機能部ＦＵを収納するような構成となっているため、落下防止部材６０ｂを回転させる作業を、収納空間ＳＰが空の状態で容易に行うことができる。
【００９５】
本実施形態に係る浴室空調装置ＤＭｂにおいては、挿通孔７０ｂがフロントパネルＦＰから上方に離れた位置に形成されている。このため、浴室空調装置ＤＭｂが取り付けられる浴室ＢＲの天井パネルＢＲｃが図１２に示したものより厚い場合であっても、天井パネルＢＲｃよりも上方において落下防止部材６０ｂを突出させることが可能となっている。
【００９６】
挿通孔７０ｂをフロントパネルＦＰから上方に離れた位置に形成することは上記のような利点を有する一方で、落下防止部材６０ｂを挿通し忘れた状態であっても、機能部ＦＵを収納空間ＳＰに収納することができてしまうという問題を有するものである。すなわち、図１１から明らかなように、落下防止部材６０ｂが上方に配置される結果、落下防止部材６０ｂを挿通孔７０ｂに挿通していない状態であっても、収納空間ＳＰの内部には下方から機能部ＦＵを収納するための空間が広く確保される。従ってこの状態、すなわち、枠体ＦＭの落下を防止できない状態のまま機能部ＦＵを収納し、浴室空調装置ＤＭｂの取り付け作業を完了してしまう恐れがある。
【００９７】
本実施形態に係る浴室空調装置ＤＭｂでは、落下防止部材６０ｂに形成された折曲部６４ｂによって、この問題を解決している。既に説明したように、折曲部６４ｂは、回転軸部６２ｂの下端から、直角に折り曲げられて水平となった部分である。また、折曲部６４ｂの軸方向は、挿通部６１ｂの軸方向に対して垂直となっている。
【００９８】
機能部ＦＵの上面の一部には、上方に向かって突出した突起９０が形成されている。落下防止部材６０ｂを回転させ、図１２のように挿通部６１ｂが挿通孔７０ａへの挿通が完了した状態においては、折曲部６４ｂの軸方向は側壁ＳＷＬと平行となり、折曲部６４ｂの先端部が側壁ＳＷＬに近い状態となっている。この状態においては、折曲部６４ｂは突起９０と干渉しないため、機能部ＦＵを収納空間ＳＰの内部に収納することができる。
【００９９】
一方、図１１のように、落下防止部材６０ｂを回転させず、挿通孔７０ａへの挿通部６１ｂの挿通が完了していない状態においては、折曲部６４ｂの軸方向は側壁ＳＷＬに対して垂直となり、折曲部６４ｂの先端部が収納空間ＳＰの内部に向けて突出した状態となっている。この状態において機能部ＦＵを収納空間ＳＰの内部に収納しようとすると、折曲部６４ｂが突起９０と干渉することにより、機能部ＦＵを完全に収納することが妨げられる。その結果、落下防止部材６０ｂの挿通が完了していない状態であることに作業者が気付かないまま収納空間ＳＰに機能部ＦＵを収納し、浴室空調装置ＤＭｂの取り付け作業を完了してしまうことが防止される。
【０１００】
換言すれば、落下防止部材６０ｂの回転角度が、枠体ＦＭの落下を防止することができないような角度である状態（挿通部６１ｂの挿通が完了していない状態）においては、折曲部６４ｂと突起９０とが干渉するように、折曲部６４ｂ及び突起９０が形成されている。折曲部６４ｂは本発明における挿通忘れ防止部として機能する。
【０１０１】
枠体ＦＭの内部には、収納空間ＳＰの側面及び上面を区画する一体の内壁８０ｂが配置されている。また、上部支持板ＰＬ１は内壁８０ｂの一部を構成している。
【０１０２】
上部支持板ＰＬ１に形成された貫通孔Ｈ１の内周と回転軸部６２ｂとの間には、ゴムにより形成された水密部材９５ｂが配置されている。水密部材９５ｂは、貫通孔Ｈ１において回転軸部６２ｂの周囲を囲むように配置され、貫通孔Ｈ１と回転軸部６２ｂとの間に形成される周状の隙間を封止している。このような構成により、枠体ＦＭの内部に存在する液体の水や高湿の空気が、内壁８０ｂの内側から貫通孔Ｈ１、挿通孔７０ｂを経由して天井パネルＢＲｃの上部空間に漏出することを確実に防止している。
【０１０３】
続いて、本発明の第四実施形態である浴室空調装置ＤＭｃについて説明する。尚、浴室空調装置ＤＭｃは、落下防止部材６０ｃの形状のみが浴室空調装置ＤＭと異なっており、その他の構成は浴室空調装置ＤＭと共通である。このため、以下の説明では、落下防止部材６０ｃに関する事項のみを説明し、浴室空調装置ＤＭと共通するその他の事項については説明を省略する。
【０１０４】
図１３は、落下防止部材６０ｃの形状を示した斜視図である。図１３に示したように、落下防止部材６０ｃは、長い棒状に形成された部分である挿通部６１ｃと、挿通部６１ｃの一端側に形成された拡径部６２ｃとを有している。挿通部６１ｃの外周部には雄螺子部が形成されている。拡径部６２ｃは、挿通部６１ｃよりも直径が大きい円柱形状に形成された部分である。
【０１０５】
図１４は、図５に対応した状態を示す断面図であって、浴室空調装置ＤＭｃを天井パネルＢＲｃに取り付けるにあたり、枠体ＦＭを開口部ＨＬに挿入して天井パネルＢＲｃに固定した状態を示している。図１４においては、収納空間ＳＰには未だ機能部ＦＵが収納されておらず、フロントパネルＦＰも取り付けられていない。
【０１０６】
枠体ＦＭの側壁ＳＷＬのうち、収納空間ＳＰの上部近傍に対応する位置には、収納空間ＳＰから枠体ＦＭの外部に貫通する挿通孔７０ｃが形成されている。挿通孔７０ｃは、挿通部６１ｃを挿通させることができるように円形に形成された孔であって、その直径は挿通部６１ｃの直径よりもわずかに大きく形成されている。
【０１０７】
図１４において、落下防止部材６０ｃは、挿通部６１ｃの先端部を挿通孔７０ｃに向けた状態となっており、挿通部６１ｃが水平で且つ挿通部６１ｃの長手方向が側壁ＳＷＬに対して垂直となるように配置されている。
【０１０８】
枠体ＦＭの内部には、収納空間ＳＰの側面及び上面を区画する一体の内壁８０ｃが配置されている。内壁８０ｃのうち挿通孔７０ｃと対向する位置には、内周部に雌螺子部が形成された内側挿通孔８１ｃが形成されている。落下防止部材６０ｃは、挿通部６１ｃの外周部に形成された雄螺子と、内側挿通孔８１ｃの内周部に形成された雌螺子部とが螺号した状態で支持されている。このため、拡径部６２ｃを回転させると、落下防止部材６０ｃは挿通部６１ｃの長手方向に沿って移動する。
【０１０９】
図１４に示したように、落下防止部材６０ｃの大部分を収納空間ＳＰの内部に収め、側壁ＳＷＬから外部に向けて突出しない状態とすることができる。このため、枠体ＦＭを浴室ＢＲ側から開口部ＨＬに挿入する際において、落下防止部材６０ｃが天井パネルＢＲｃと干渉することがなく、スムーズに挿入することが可能となっている。
【０１１０】
枠体ＦＭを開口部ＨＬに挿入し、フランジＦＭｆを天井パネルＢＲｃに対してボルトで固定した状態（図１４の状態）とした後は、落下防止部材６０ｃの拡径部６２ｃを回転させることにより落下防止部材６０ｃを移動させ、挿通孔７０ｃに挿通させる。その結果、図１５に示したように、落下防止部材６０ｃは枠体ＦＭの側壁ＳＷＬから外部に向けて突出した状態となる。
【０１１１】
落下防止部材６０ｃを挿通孔７０ｃに挿通させた後は、図１５のように枠体ＦＭの下方から収納空間ＳＰに機能部ＦＵが収納され、更にフロントパネルＦＰが取り付けられる。このように、落下防止部材６０ｃを挿通孔７０ｃに挿通させた後で機能部ＦＵを収納するような構成となっているため、拡径部６２ｃを回転させる作業を、収納空間ＳＰが空の状態で容易に行うことができる。
【０１１２】
挿通部６１ｃの外周部に形成された雄螺子と、内側挿通孔８１ｃの内周部に形成された雌螺子部とが螺号しているため、内側挿通孔８１ｃと落下防止部材６０ａとの間には隙間が殆ど形成されていない。このため、枠体ＦＭの内部に存在する液体の水や高湿の空気が、内壁８０ｃの内側から内側挿通孔８１ｃ、挿通孔７０ｃを経由して天井パネルＢＲｃの上部空間に漏出することが抑制されている。
【０１１３】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。例えば、前述した各具体例が備える各要素およびその配置、材料、条件、形状、サイズなどは、例示したものに限定されるわけではなく適宜変更することができる。また、前述した各実施の形態が備える各要素は、技術的に可能な限りにおいて組み合わせることができ、これらを組み合わせたものも本発明の特徴を含む限り本発明の範囲に包含される。
【符号の説明】
【０１１４】
１０：吸込口
１０ａ：開口
２０：吹出口
２０ａ：開口
２１：整風板
３０：ファン
３０ａ：ファンモータ
５０：内部流路
５０ａ：上流側流路
５０ｂ：下流側流路
６０，６０ａ，６０ｂ，６０ｃ：落下防止部材
６１，６１ａ，６１ｂ，６１ｃ：挿通部
６２，６３：抜け防止部
６２ｂ：回転軸部
６２ｃ：拡径部
６４，６４ａ，６４ｂ：折曲部
６５：突起部
６６：空間
７０，７０ａ，７０ｂ，７０ｃ：挿通孔
８０，８０ａ，８０ｂ，８０ｃ：内壁
８１：内側挿通孔
８１ａ，８１ｃ：内側挿通孔
９０：突起
９５，９５ａ，９５ｂ：水密部材
ＢＲｃ：天井パネル
Ｄ１：ダクト
ＤＭ，ＤＭａ，ＤＭｂ，ＤＭｃ：浴室空調装置
ＤＰ：ダンパー
ＦＭ：枠体
ＦＭｆ：フランジ
ＦＰ：フロントパネル
ＦＵ：機能部
Ｈ１，Ｈ２：貫通孔
ＨＬ：開口部
ＨＴ：ヒーター
ＰＬ１：上部支持板
ＰＬ２：下部支持板
ＲＳ：溜水部
ＳＬ，ＳＲ：側面
ＳＰ：収納空間
ＳＲ：洗面所
ＳＲ１：吸引口
ＳＲ２：ダクト
【図１】
2013155918.tif 000003
【図２】
2013155918.tif 000004
【図３】
2013155918.tif 000005
【図４】
2013155918.tif 000006
【図５】
2013155918.tif 000007
【図６】
2013155918.tif 000008
【図７】
2013155918.tif 000009
【図８】
2013155918.tif 000010
【図９】
2013155918.tif 000011
【図１０】
2013155918.tif 000012
【図１１】
2013155918.tif 000013
【図１２】
2013155918.tif 000014
【図１３】
2013155918.tif 000015
【図１４】
2013155918.tif 000016
【図１５】
2013155918.tif 000017